(57)【要約】【課題】洗車排水等を電解し、得られたアルミニウムフロックを大きくする生成方法を提供し、浮上物が水と完全分離することによって、洗車排水等を洗車用水へ変換するリサイクル方法を提供する。【解決手段】本発明洗車排水等のリサイクル方法は、アルミニウムを電極とした電解槽４にて洗車排水等を電解し、生成されたアルミニウムフロック浮上物を電解槽では除去することなく次の反応槽６に送り出し、該反応槽で結合性の強い高分子凝集剤を添加して該浮上物を凝集且つ成長させ、次いで浮上分離槽の下方部から発生する微細な気泡を成長した浮上物に付着させて浮上させ、水は送水ポンプ１０にて送り出し再び用水としてリサイクルすることを特徴とする。【選択図】　図１
2004066037.tif 000002
【特許請求の範囲】
【請求項１】
アルミニウムを電極とした電解槽にて排水を電解し、生成されたアルミニウムフロック浮上物を電解槽では除去することなく次の反応槽に送り出し、該反応槽に結合性の強い高分子凝集剤を添加して該浮上物を凝集且つ成長させ、次いで浮上分離槽の下方部から発生する微細な気泡を成長した浮上物に付着させて浮上させ、該浮上物を除去することを特徴とする排水処理方法。
【請求項２】
水に圧力を掛けた状態で強制的に空気を溶解させ、再び大気圧に戻す際に微細な気泡を発生させることにより、該浮上物に気泡を付着させて浮上させる加圧浮上処理を特徴とする請求項１記載の排水処理方法。
【請求項３】
アルミニウムを電極とした電解槽にて排水を電解し、生成されたアルミニウムフロック浮上物を電解槽では除去することなく次の反応槽に送り出し、該反応槽で結合性の強い高分子凝集剤を添加して該浮上物を凝集且つ成長させ、次いで浮上分離槽の下方部から発生する微細な気泡を成長した浮上物に付着させて浮上させ、水は送水ポンプにて送り出し再び用水としてリサイクルすることを特徴とする排水のリサイクル方法。
【請求項４】
水に圧力を掛けた状態で強制的に空気を溶解させ、再び大気圧に戻す際に微細な気泡を発生させることにより、該浮上物の下方に該気泡を付着させて浮上させる加圧浮上処理方法を特徴とする請求項３記載の洗車排水のリサイクル方法。
【発明の詳細な説明】
【０００１】
【発明の属する技術分野】
本発明は、洗車排水等の排水の電解により生成したアルミニウムフロックに、高分子凝集剤を添加し、微細気泡を付着させて浮上物の完全上昇と排出を図る洗車排水等の排水処理方法及びリサイクル方法に関する。
【０００２】
【従来の技術】
従来、洗車等の排水処理については、例えば、特開平２０００−３３５３７９号公報に洗車廃水リサイクルシステムが提案されている。これは、「洗車機１から洗車廃水分離槽２に流入した洗車廃水ａをリサイクル装置３によって処理し、該リサイクル装置で浄化された水ｂを浄水タンク４に蓄えるようにした洗車廃水リサイクルシステム。前記リサイクル装置の処理能力不足により前記洗車廃水分離槽からオーバーフローする洗浄廃水を貯留槽１０に導入すると共に、該貯留槽に雨水を導入して洗車機で消失した不足分を補充し、しかる後に、前記貯留槽内の水を前記洗車廃水分離槽に戻す。」ことを内容とするものである。
【０００３】
又、特開２０００−２１０６６９号公報に記載された洗車廃水の処理方法および装置は、「沈殿分離槽１により洗車廃水中の土砂を沈殿分離してから、電解槽５に送って、陽極６ａや陰極６ｂと廃水間の界面における電極反応と、この電極反応による生成物が廃水中の成分と反応する二次反応が複合的に行う。電極反応により廃水中の成分が酸化、還元、分解、析出される。二次反応により廃水中の成分の沈降、吸着、凝縮、浮上が行われる。浮遊物質が分離・除去された処理水は、精密濾過装置８により浮遊物質を濾過分離され、貯水槽１１に送られる。」ことを内容とする。
【０００４】
更に、特開平９−１０８５０２号公報には、側溝を流れる廃水に対する浄化装置が提案され、その概要は、「　絶縁性を具えた材料で製しかつ廃水の流通を阻害しないような通水性を有すると共に浄化対象とする側溝Ａの溝内にしっくりと置くことが出きるような横幅を具えて成る直方体状籠体１内の両側部に、互いに極性の異なる電極板４，５を対向させて設け、更に、当該籠体１の下面には、上面に多数の噴気孔を穿設してなる気泡発生盤７を設け、また、上記籠体１内には陽極板と同一材料とする金属廃材６を收装したことを特徴とする側溝を流れる廃水に対する浄化装置。」である。
【０００５】
しかし、特開２０００−３３５３７９洗車廃水リサイクルシステムでは、洗車廃水を電解しつつ、電解浮上させる方法のみでは除去しきれない成分が残る。また特開２０００−２１０６６９洗車廃水の処理方法および装置は、電解浮上物を分離・除去した後に精密濾過する方法であるが、目詰まりが起こり易く、且つランニングコスト上の問題がある。更に、特開平９−１０８５０２の側溝を流れる廃水に対する浄化装置は、電解槽の真下に通常の気泡発生装置を設置する方式であるが、この方法では気泡の口径が大きく且つ粗いので浮上効果が劣るという問題が生じる。
【０００６】
【発明が解決しようとする課題】
そこで本発明は、洗車排水等を電解し、得られたアルミニウムフロックに高分子凝集剤を添加調製することによって、浮上物を大きくする生成方法を提供し、次の工程で該浮上物に微細気泡を付着させて浮上を促進する方法を提供して、浮上物が水と完全分離することによって、洗車排水等を用水へ変換する排水処理方法及びリサイクル方法を提供するものである。
【０００７】
【課題を解決するための手段】
上記目的を達成するために、請求項１記載の発明は、アルミニウムを電極とした電解槽にて排水を電解し、生成されたアルミニウムフロック浮上物を電解槽では除去することなく次の反応槽に送り出し、該反応槽に結合性の強い高分子凝集剤を添加して該浮上物を凝集且つ成長させ、次いで浮上分離槽の下方部から発生する微細な気泡を成長した浮上物に付着させて浮上させ、水と分離して該浮上物を除去することを特徴とする。
【０００８】
請求項２記載の発明は、水に圧力を掛けた状態で強制的に空気を溶解させ、再び大気圧に戻す際に微細な気泡を発生させることにより、該浮上物の下方に該気泡を付着させて浮上させる加圧浮上処理方法を特徴とする。
【０００９】
請求項３記載の発明は、アルミニウムを電極とした電解槽等にて排水を電解し、生成されたアルミニウムフロック浮上物を電解槽では除去することなく次の反応槽に送り出し、該反応槽で結合性の強い高分子凝集剤を添加して該浮上物を凝集且つ成長させ、次いで浮上分離槽の下方部から発生する微細な気泡を成長した浮上物に付着させて浮上させ、水と分離して該浮上物を廃棄した後、水は送水ポンプにて送り出し再び洗車用水としてリサイクルすることを特徴とする。
【００１０】
請求項４記載の発明、水に圧力を掛けた状態で強制的に空気を溶解させ、再び大気圧に戻す際に微細な気泡を発生させることにより、該浮上物の下方に該気泡を付着させて浮上させる加圧浮上処理方法を特徴とする。
【００１１】
【実施例】
この発明の実施例を、図１及び図２に基づいて説明する。
洗車機１からの排水は、油水分離槽２から送水ポンプ３を経て電解装置４に送られる。該電解装置４における洗車排水の電解は、陽極にアルミニウム電極を使用して行われる。アルミニウム電極から溶出するアルミニウムイオンは、水の電解で発生する水酸イオンと反応して水酸化アルミニウムという凝集力のある物質を生じ、これがアルミニウムフロックである。従って、同極に発生する酸素ガスや陰極に発生する水素ガスにより、該フロックや油分、懸濁物質などは幾らか浮上するので、従来は、これを除去する装置を電解装置に付設していた。
【００１２】
この電解装置の中で発生する酸素ガスや水素ガスが、生成された水酸化アルミニウムのフロックや油分、懸濁物質に付着し、該フロックなどを浮上させるが、水酸化アルミニウムフロックの成長には時間が掛かるので、次の反応工程に移した時に大きなフロックとなり、反応槽に沈殿物として残り易く、この状態では、ガソリンスタンドでリサイクルできるような清澄な処理水は得られず、洗車用水として使用できないものであった。
【００１３】
そこでこのフロックを電解装置で除去することなく、次の反応槽６に送る。反応槽６に送られてきた水酸化アルミニウムフロックを含む電解処理水を撹拌羽根で撹拌しながら、水酸化アルミニウムフロック量に応じた高分子凝集剤５を添加し、該凝集剤５の主鎖に点在する反応基と水酸化アルミニウムフロックを反応させて、大きな水酸化アルミニウムフロックに成長させる。
【００１４】
即ち、上記従来方法では、油分等フロックの核となる物質を多く含む浮上物を除去してしまう為、遅れて成長するアルミニウムフロックの分離が困難となっていたが、これを濾過することなく次工程の反応槽に送り、そこで一定量の高分子凝集剤を添加すると、該電解処理水はアルミニウムフロック沈殿物などフロックの核になる物質が多くあるので、適切な量の高分子凝集剤と出会って反応し、充分に大きなアルミニウムフロックが生成できる。
【００１５】
該高分子凝集剤としては、ポリアクリルアミド系、ポリアクリル酸系、変性ポリアクリルアミド系などのアニオン系高分子凝集剤を使用し、またノニオン系の高分子凝集剤もその効果が認められた。而して該フロックは大きく成長する。
【００１６】
次に、その大きく成長したフロックを、反応処理水と共にフロック浮上分離槽７に移す。該浮上分離槽７の底部に配水管を施設し、底部にある反応処理水を別のタンクに移して、その一部を泡発生ポンプ８で加圧する。該泡発生ポンプ８で圧力を掛けた状態で強制的に空気を溶解させる。それを再び大気圧に戻して微細気泡を発生させ、該微細気泡を浮上分離槽７で放出すると共に、フロックに付着させて浮上を促進する。
該浮上分離槽７の下方で発生させる気泡１２は微細なので、該アルミニウムフロックに付着し易く、微細気泡１２が付着した該フロックは見かけ比重が小さくなるので、水面に向かって上昇する。尚、１１は、余剰エア分離塔である。
【００１７】
浮上分離槽７の水面に浮上したフロックは回収されるに従って、水と完全に分離される。該処理水はリサイクルされた水として送水ポンプ１０にて再び洗車機１に戻され、ガソリンスタンド等で利用され得る。
【００１８】
【試験例】
ガソリンスタンドの洗車排水を採取し、基本的な処理条件は同じとして、表１に示すような原水と、２つの方法での処理水の透視度について比較検討を行った。
【００１９】
【表１】
2004066037.tif 000003
【００２０】
上記の透視度比較のように、従来法の電解処理→加圧浮上処理では、原水と比較して透視度は改善されるものの、除去されないフロックが処理水▲１▼に浮遊しており、これが透視度を悪くする原因であった。これに対して、本発明の方法で得られた処理水▲２▼は、浮遊フロックがほとんど観察されず、無色で、透視度も５０度以上確保できており、洗車用に充分リサイクルができる水質となった。
【００２１】
更に、洗車された排水と浄化処理した処理水を分析した結果は、表２に示すとおりである。洗車用水の水質基準値は定められていないので、比較のための参考値を表の右欄に併記した。処理水は、透明度が極めて高く肉眼では新しい水とほとんど変わらず、臭気も全くない。ＳＳ、濁度、油脂分等、洗車用水として再利用するには適正な水質となった。
【００２２】
【表２】
2004066037.tif 000004
【００２３】
【発明の効果】
本発明は、洗車排水から油分、懸濁物質などが効率よく分離できたので、水は洗車用水等としてリサイクルでき、水の再利用が可能となった。水の費用節約はもちろん、水道水を大量に必要としなくなる。従来の垂れ流し状態では環境を汚染していたものを解決できる。又、リサイクルに限定されず、排水処理方法として有効である。
【００２４】
又、洗車排水以外にもこの原理を利用して、油脂含有排水、洗米排水、金属含有排水などの排水処理及びリサイクルが可能である。
【図面の簡単な説明】
【図１】本発明の１実施例を示す洗車排水リサイクル方法の系統図である。
【図２】加圧水ユニットの概略フロー図である。
【符号の説明】
１　　　洗車機
２　　　油水分離機
３　　　原水槽水
４　　　電界槽
５　　　高分子凝集剤
６　　　反応槽
７　　　浮上分離槽
８　　　泡発生ポンプ
９　　　処理水
１０　　送水ポンプ
１１　　余剰エア分離塔
１２　　微細気泡
【図１】
2004066037.tif 000005
【図２】
2004066037.tif 000006